(57)【特許請求の範囲】
【請求項１】
方形のパネル板の上下縁部にそれぞれ連結用框枠が設けられるパネルシャッターのパネル取付構造において、
前記パネル板の上縁部及び下縁部に固設されるとともに、前記連結用框枠に形成される前記パネル板の縁部に沿った溝状の係合凹部内に収容される結合部材を具備し、
該結合部材と前記係合凹部に、爪片と係合溝とが互いに係合しあう組み合わせで設けられ、該結合部材が前記連結用框枠と前記パネル板の縁部との間に介設されて、互いを固定する構造になり、前記係合凹部内には、溝底部の両側に位置して、この係合凹部の開放方向と直交し、かつ互いに開口方向が対向するような一対の前記係合溝が形成され、前記結合部材は、可撓性を有する材質により断面略Ｙ字状に形成され、その各先端には一対の前記爪片が形成され、この爪片と係合溝とが、上下方向からの嵌め込みにより、一対の前記爪片がやや内方に撓んだ後復元することにより互いに係合しあうようになることを特徴とするパネルシャッターのパネル取付構造。
【発明の詳細な説明】
【０００１】
【産業上の利用分野】
本発明は、建造物の出入口等の開口部に設置されるパネルシャッターにおいて、パネル板の縁に框枠を取り付けるパネル取付構造に関するものである。
【０００２】
【従来の技術】
この種のパネルシャッターでは、図１に示すように、パネル板３の上下両縁部に連結固定した連結用框枠４を、互いに屈折可能に連結して、全体として、シャッターカーテンを構成しているので、シャッター収納部へのカーテン巻き込み、あるいは、折り畳み収納に際して、無理な荷重が、パネル板３と連結用框枠４との接続箇所に掛かり、また、シャッター使用時すなわちカーテンの開閉時には、重力作用で、パネル板３と框枠４とが、その接続部分に自重による引張力を受けるので、図１０に示すように、パネル板３の上下縁の両側面側に蟻溝３１を形成し、框枠４の嵌合溝４１の開口縁に形成した突条４２を、蟻溝３１に係合させる構造とするか、図１１に示すように、パネル板３の上下縁３２のみを厚くして、これを嵌合溝４１に嵌合した際に、嵌合溝４１の開口縁４２で係止して、十分な連結強度を保たせる構造としていた。
【０００３】
【発明が解決しようとする課題】
しかしながら、上述した従来のパネル取付構造では、前者の係合構造の場合には、パネル板３を、蟻溝３１を形成するに足る相当な厚さにしなければならず、また、後者の構造の場合には、縁３２の厚さからパネル板３を削り出しするか、成形型を用いて、パネル板３を、その特異な断面になるように、個々に成形しなければならない。
すなわち、従来のパネル取付構造では、既存品の平板をそのままパネル板３として使用できず、成形の段階からパネル板の形状を決定し成形させなければならないことから、全体のコスト高を招くことになるという欠点を有している。
【０００４】
また、シャッターの開口幅が広い場合では、左右方向に長尺なパネル板３が使用されるが、この長尺なパネル板では、パネル板自信の自重や風などの外力によって框枠４が撓んでしまうおそれがあり、パネル板３と上下框枠４が分離してしまうおそれがあるという欠点がある。
【０００５】
そこで本発明は、上記問題点を解消するために、パネル板と框枠とを容易に結合させるとともに、互いを強固に固定させることができるパネルシャッターのパネル取付構造を提供することを目的としている。
【０００６】
【課題を解決するための手段】
次に、上記の目的を達成するための手段を、実施例に対応する図面を参照して説明する。
この発明のパネルシャッターのパネル取付構造は、方形のパネル板３の上下縁部にそれぞれ連結用框枠４が設けられるパネルシャッター１のパネル取付構造において、
前記パネル板３の上縁部３ａ及び下縁部３ｂに固設されるとともに、前記連結用框枠４に形成される前記パネル板３の縁部３ａ，３ｂに沿った溝状の係合凹部５内に収容される結合部材８を具備し、
該結合部材８と前記係合凹部５に、爪片１０と係合溝６とが互いに係合しあう組み合わせで設けられ、該結合部材８が前記連結用框枠４と前記パネル板３の縁部３ａ，３ｂとの間に介設されて、互いを固定することを特徴としている。前記係合凹部５内には、溝底部の両側に位置して、この係合凹部５の開放方向と直交し、かつ互いに開口方向が対向するような一対の前記係合溝６，６が形成され、前記結合部材８は、可撓性を有する材質により断面略Ｙ字状に形成され、その各先端には一対の前記爪片１０，１０が形成され、この爪片と係合溝とが、上下方向からの嵌め込みにより、一対の前記爪片１０，１０がやや内方に撓んだ後復元することにより互いに係合しあう。
【０００７】
【作用】
方形のパネル板３の上縁部３ａ及び下縁部３ｂにそれぞれ固設される結合部材８を、連結用框枠４に形成される溝状の係合凹部５に収容させるとともに、この結合部材８と係合凹部５に設けられる互いに係合しあう爪片１０と係合溝６によって、結合部材８が前記連結用框枠４と前記パネル板３の縁部３ａ，３ｂとの間に介設された状態で、互いが固定される。
【０００８】
【実施例】
以下、本発明の実施例を図１乃至図４を参照しながら具体的に説明する。
本発明に係わるパネルシャッター１は、パネル板３の上下縁部３ａ，３ｂに、それぞれ連結用框枠４を接続したパネル構造体であるスラット２を、図１に示すように、多数連結して構成したものであり、このパネルシャッター１を構成するために、上下の各連結用框枠４には、それぞれ連結用カール部４ａが形成され、この連結用カール部４ａにてスラット２同士を連結するようになっている。
【０００９】
このパネルシャッター１を構成するスラット２は、図２に示すように、連結用框枠４と、パネル板３と、結合部材８とで構成されている。
【００１０】
連結用框枠４は、アルミ型材などより形成され、図２に示すように、パネル板３の上縁部３ａまたは下縁部３ｂ（図３参照）に沿う溝状の係合凹部５を有して断面略コ字状に形成されているとともに、連結用カール部４ａが延出形成されている。
なお、本実施例では図３に示すように、上縁用連結用框枠４Ａと下縁用連結用框枠４Ｂとの連結用カール部４Ａａ，４Ｂａの形状が異なっており、上縁用連結用框枠４Ａでは湾曲した断面略２字状に形成され、下縁用連結用框枠４Ｂでは断面略Ｃ字状に形成されている。
【００１１】
また、連結用框枠４の係合凹部５内には、溝底部５ａの両側に位置して、この係合凹部５の開放方向と直交し、かつ互いに開口方向が対向するような一対の係合溝６が形成されており、この係合凹部５は、これら係合溝６によって、奥拡がり形状となっている
【００１２】
次に、パネル板３は、アクリル樹脂などの透明樹脂や、ガラス、アルミなどの金属などよりなる平板状の長尺な略短冊形状に形成されている。
また、このパネル板３の上下両縁部３ａ，３ｂの近傍には、長手方向の所定間隔毎に、貫通孔７がそれぞれ穿設されている。
【００１３】
次に、結合部材８は、合成樹脂よりなる型材やアルミ型材など可撓性を有する材質よりなり、一対の係合片９，９と取付片１１とを有した断面略Ｙ字状に形成されている。
【００１４】
一対の係合片９，９は、互いの間隔が、前述した連結用框枠４の係合凹部５内側の幅長と同等に設定されるとともに、各先端側が互いに平行となって形成され、各先端９ａ，９ａには外側に向かって突出した爪片１０，１０がそれぞれ形成されている。
【００１５】
また、取付片１１は、基端に、前記パネル板３の厚さと同等の溝幅を有する凹溝１２が形成され、先端近傍の板面には、貫通した固定孔１３が設けられている。
なお、凹溝１２は一対の取付片９，９の中間に位置しており、取付片１１はこの凹溝１２の一側から延出するように形成されている。
【００１６】
そして、図３に示すように、この結合部材８は、前述したパネル板３の上下両縁部３ａ，３ｂに、まず凹溝１２を嵌合させ、取付片１１をパネル板３の一方の板面に沿わせ、固定孔１３をパネル板３の貫通孔７に合致させた後、各孔７，１３を嵌挿させてリベット１４などの固定手段にて、互いを固定するようになっている。
【００１７】
なお、この結合部材８は、パネル板３の長手方向の全長に対応した長尺に連続した形状のものでもよく、また、パネル板３に対して長手方向の複数カ所に間隔をあけて設けられるように、短尺幅に形成されていてもよい。
【００１８】
そして、パネル板３に連結用框枠４を取り付けるには、図３及び図４に示すように、パネル板３の上下両縁に固定されている結合部材８を連結用框枠４の係合凹部５内に、パネル板３の上下方向から嵌め込み、収容させる。
収容される結合部材８は、一対の係合片９が係合凹部５内にてやや内方向に撓むが、各係合片９の先端の両爪片１０が係合溝６にて係合することで、係合片９は復元し、爪片１０と係合溝６とが互いに係合しあって固定される。
これにより、パネル板３と連結用框枠４とが固定され、その後、図４に示すように、連結用框枠４とパネル板３との結合部分の隙間に防塵・防水用のビード材１５を嵌入させ、スラット２が完成される。
【００１９】
なお、図５は、上述した実施例とは上下の連結用框枠４の連結用カール部４ａの形状が異なる例を示した図である。
【００２０】
従ってこのように構成されたパネルシャッターのパネル取付構造では、パネル板３の上下両縁部３ａ，３ｂに固定された結合部材８に爪片１０を設け、連結用框枠４に形成されている係合溝６に係合させるのみで、パネル板３と連結用框枠４とを連結固定させることが行えるとともに、この固定状態が結合部材を介して行われていることから、互いの固定状態が強固となって剛性が向上し、風などの外力やパネル板３自信の自重によって連結用框枠４が撓むことがなく、パネル板３と上下の框枠４とが分離してしまうことがない。
【００２１】
また、パネル板３と連結用框枠４との連結固定作業が、パネル板３の上下方向、すなわち垂直な吊持ち方向から、パネル板３の縁部に固定された結合部材８を連結用框枠４の係合凹部５内に収容させる手順であることから、この作業が簡素であり、また、その作業空間がパネル板３の左右幅方向の長さのみで行うことが可能となる。
【００２２】
さらに、既成の平板状のパネル板３を用いてスラット２を構成させることが可能であるので、このパネル板３に特殊な加工を施すことなく連結用框枠４と結合でき、これによりパネルシャッター１を廉価に構成できる。
【００２３】
なお、上述した実施例では、結合部材８の一対の爪片１０を外側に向かって突出した形状とし、係合凹部５内の一対の係合溝６を対向した形状とした例について述べたが、図６に示すように、結合部材８の一対の爪片１０を内方に突出させ、係合凹部５内の一対の係合溝６をそれぞれ外方向に開口するように形成させ構成させてもよい。
【００２４】
図７〜図９は、参考例を示す。上述した実施例では、結合部材８の形状を、一対の係合片９と取付片１１とを有した断面略Ｙ字状に形成し、各係合片９の先端に爪片１０を設けた例について述べたが、図７の参考例では、この結合部材８を断面略Ｔ字状に形成し、水平部９’の両端を爪片１０とし、垂直部１１’を取付片とさせる構成としてもよい。
この場合、連結用框枠４の断面形状は、係合凹部５内の係合溝６の形状を、図７に示すように、略水平な一対の延出片６ａを有する形状とし、図８に示すように結合部材８を係合させるようにする。
なお、この例では、連結用框枠４とパネル板３との連結固定作業は、連結用框枠４に対して側方（左右幅方向）からスライド嵌合させることで係合させ取り付ける。
また、図９は、上下の連結用框枠４の連結用カール部４ａの形状が異なる例を示した図である。
【００２５】
さらに、上述した実施例では、パネル板３と結合部材８との固定手段としてリベット１４を用いた例について述べたが、ネジやボルトで構成してもよい。
また、互いの固定をステイプルで行ってもよく、この場合、予め貫通孔７や固定孔１３などの孔を穿設させる必要がないため、組立手順を簡素化させることができる。
さらに、接着剤による接着や溶接などの加熱溶着で、パネル板３と結合部材８とを互いに固定させてもよい。
【００２６】
また、上述した各実施例では、結合部材８に爪片１０を設け、係合凹部５に係合溝６を設けた組み合わせの例について述べたが、それぞれの組み合わせはこれに限ることはない。
【００２７】
【発明の効果】
以上説明したように本発明によるパネルシャッターのパネル取付構造では、パネル板の上下両縁部に固定された結合部材に可撓性を有する材質により断面略Ｙ字状に爪片を設け、連結用框枠に形成されている係合溝に、上下方向からの嵌め込みにより係合させるのみで、パネル板と連結用框枠とを連結固定させることが行えるとともに、この固定状態が結合部材を介して行われていることから、互いの固定状態が強固となって剛性が向上し、風などの外力やパネル板自信の自重によって連結用框枠が撓むことがなく、パネル板と上下の框枠とが分離してしまうことがないという効果がある。
【００２８】
また、既成の平板状のパネル板を用いてスラットを構成させることが可能であるので、このパネル板に特殊な加工を施すことなく連結用框枠と結合でき、これによりパネルシャッターを廉価に構成できるという効果がある。
【００２９】
特に、パネル板と連結用框枠との連結固定作業が、パネル板の上下方向、すなわち垂直な吊持ち方向から、パネル板の縁部に固定された結合部材を連結用框枠の係合凹部内に収容させる手順で行える構成である場合、この作業は簡素となり、また、その作業空間がパネル板の左右幅方向の長さのみで行うことが可能となるという効果がある。
【図面の簡単な説明】
【図１】本発明によるパネル取付構造を備えるパネルシャッターの概略正面図
【図２】本発明によるパネル取付構造の一実施例を示す分解側面図
【図３】同実施例によるパネル取付構造の側面図
【図４】同実施例によるパネル取付構造の側面図
【図５】他の実施例によるパネル取付構造の側面図
【図６】他の実施例によるパネル取付構造の側面図
【図７】参考例によるパネル取付構造の側面図
【図８】他の参考例によるパネル取付構造の側面図
【図９】他の参考例によるパネル取付構造の側面図
【図１０】従来のパネル取付構造の側面図
【図１１】従来のパネル取付構造の側面図
【図１】
0003572701.tif 000002
【図２】
0003572701.tif 000003
【図３】
0003572701.tif 000004
【図４】
0003572701.tif 000005
【図５】
0003572701.tif 000006
【図６】
0003572701.tif 000007
【図７】
0003572701.tif 000008
【図８】
0003572701.tif 000009
【図９】
0003572701.tif 000010
【図１０】
0003572701.tif 000011
【図１１】
0003572701.tif 000012